(57)【要約】      （修正有）【課題】舗装面及び非舗装面にかかわらず、緑化したい場所に緑化地盤ユニットを載置することによって、簡単に緑化を実現する緑化地盤を提供する。【解決手段】緑化地盤ユニット１は、基礎部２と、基礎部２に収容される断熱材３と、基礎部２内の断熱材３の上に設けられ断熱材３と土壌５との間に貯水空間９０を形成するための仕切部材４と、基礎部２に収容され仕切部材４の上方に位置する土壌５と、土壌５の表面に敷かれたグランドカバー材と、グランドカバー材の上から敷かれたネット７と、土壌５に植栽された植物８と及び土壌５に灌水するための灌水システム９とで構成する。【選択図】図１
2012120462.tif 000002
【特許請求の範囲】
【請求項１】
周囲を囲む側壁を有して上方に開口する基礎部と、
前記基礎部に収容された土壌と、
前記土壌に植栽された植物とを備えた緑化地盤であって、
前記土壌は、最も高い部分が前記側壁よりも高くなるように前記基礎部内に盛られた状態となっている緑化地盤ユニット。
【請求項２】
請求項１に記載の緑化地盤ユニットにおいて、
前記土壌の表面には、該土壌の飛散を防止するグランドカバー材が設けられている緑化地盤ユニット。
【請求項３】
請求項２に記載の緑化地盤ユニットにおいて、
前記グランドカバー材は、樹木の皮、枯れ草、枯れ葉及び藁の少なくとも１つである緑化地盤ユニット。
【請求項４】
請求項２又は３に記載の緑化地盤ユニットにおいて、
前記グランドカバー材の上にネットが敷かれている緑化地盤ユニット。
【請求項５】
請求項１に記載の緑化地盤ユニットにおいて、
前記土壌の表面には、ネットが敷かれている緑化地盤ユニット。
【請求項６】
請求項１乃至５の何れか１つに記載の緑化地盤ユニットにおいて、
前記側壁は、排水性を有する緑化地盤ユニット。
【請求項７】
請求項１乃至６の何れか１つに記載の緑化地盤ユニットにおいて、
前記土壌よりも下方に設けられた断熱部をさらに備える緑化地盤ユニット。
【請求項８】
請求項１乃至７の何れか１つに記載の緑化地盤ユニットにおいて、
前記土壌よりも下方に設けられた保水部をさらに備える緑化地盤ユニット。
【発明の詳細な説明】
【技術分野】
【０００１】
本発明は、基礎部と該基礎部に収容された土壌とを備えた緑化地盤ユニットに関するものである。
【背景技術】
【０００２】
近年、地球温暖化に対する人々の関心が高まっており、その対策として、様々な場所において緑化が積極的に推進されている。また、現代社会、特に都市部においては、ほとんどの地面が舗装されると共にビルやマンション等の無機質な建造物が乱立し、緑地等の自然が非常に少なくなっている。このような無機質な環境においては、緑地が憩いとして人々に求められている。さらには、商業施設やイベント会場においては、憩いとして、又、その場を彩る目的で、緑地が求められている。このように、昨今、様々な理由で緑地が求められている。それに伴い、様々な緑化技術が開発されている。
【０００３】
例えば、特許文献１には、舗装面を緑化する技術が開示されている。この技術は、これから舗装される整地面に植栽する方法であって、舗装する際に、土壌を充填するための凹部を予め舗装面に形成しておく。つまり、舗装面が完成したときには、凹部が形成されており、この凹部に土壌を充填して植栽を行う。また、別の技術も開示されている。それは、既に舗装された舗装面に対して植栽する方法であって、舗装面を掘削して凹部を形成し、この凹部に土壌を充填して植栽を行う。
【先行技術文献】
【特許文献】
【０００４】
【特許文献１】特開平８−８６号公報
【発明の概要】
【発明が解決しようとする課題】
【０００５】
しかしながら、前者の方法では、舗装する際に凹部を形成する必要があり、舗装工事が煩雑になる。また、後者の方法では、舗装面を掘削する必要があり、この方法も煩雑である。
【０００６】
また、非舗装面を緑化する場所であっても、その場所の土壌を耕し、植栽をし、植物を育てていく必要があり、やはり煩雑な作業を要する。
【０００７】
本発明は、かかる点に鑑みてなされたものであり、その目的とするところは、簡単に緑化を実現することにある。
【課題を解決するための手段】
【０００８】
本発明は、周囲を囲む側壁を有して上方に開口する基礎部と、前記基礎部に収容された土壌と、前記土壌に植栽された植物とを備えた緑化地盤ユニットが対象である。そして、前記土壌は、最も高い部分が前記側壁よりも高くなるように前記基礎部内に盛られた状態となっているものとする。
【０００９】
前記の構成によれば、舗装面及び非舗装面にかかわらず、緑化したい場所に前記緑化地盤ユニットを載置することによって、簡単に緑化を実現することができる。
【００１０】
また、土壌を盛り土状とすることによって、土が盛られた部分においては植物の根が張る容積をその地中に確保することができる。そのため、根が張る容積が小さくてもよい植物から、根が張る容積が大きい植物まで、植栽できる植物の選択肢を広げることができる。場合によっては、草花だけでなく、樹木を植栽することができる。
【００１１】
さらに、土壌を盛り土状とすることによって、自然な景観を実現することができる。すなわち、樹木等のように根が張る容積が大きい植物を植栽するために、盛り土状ではなく、平坦なままで土壌の深さを単純に深くすることが考えられる。かかる構成では、緑化地盤ユニットと、緑化地盤ユニットを載置した地面との境界における高低差が大きくなり、緑地が地面から浮いた状態となり、見る者に不自然感を与えてしまう。それに対して、前記緑化地盤ユニットによれば、土壌の盛り上がった部分の周辺は、相対的に低くなっている。そのため、根が張る容積が確保された部分と、緑化地盤ユニットを載置された地面との間がなだらかにつながれることになる。その結果、緑化地盤ユニットが設置されたその場所に植物が自然と育っている印象を見る者に与えるようになる。
【発明の効果】
【００１２】
本発明によれば、簡単に緑化を実現することができる。
【図面の簡単な説明】
【００１３】
【図１】実施形態に係る地盤緑化ユニットの断面図である。
【図２】地盤緑化ユニットの側壁周辺の構造を示す拡大断面図である。
【図３】その他の実施形態に係る地盤緑化ユニットの断面図である。
【図４】その他の実施形態に係る地盤緑化ユニットの側壁周辺の構造を示す拡大断面図である。
【発明を実施するための形態】
【００１４】
以下、本発明の例示的な実施形態を図面に基づいて詳細に説明する。
【００１５】
図１は、実施形態に係る緑化地盤ユニットの断面図を、図２は、緑化地盤ユニットの側壁周辺の拡大断面図を示す。緑化地盤ユニット１は、基礎部２と、該基礎部２に収容される断熱材３と、該基礎部２内の断熱材３の上に設けられ、断熱材３と土壌５との間に貯水空間９０を形成するための仕切部材４と、該基礎部２に収容され、該仕切部材４の上方に位置する土壌５と、該土壌５の表面に敷かれたグランドカバー材６と、グランドカバー材６の上から敷かれたネット７と、土壌５に植栽された植物８と、土壌５に灌水するための灌水システム９とを備えている。この緑化地盤ユニット１は、駅前や歩道等の公共施設、イベント会場やショッピングモール等の商業施設の地面に載置され、その場に緑地を存在させるものである。地面は、舗装されていても、舗装されていなくてもよい。
【００１６】
前記基礎部２は、底部２１と、底部２１の周縁部に立設された側壁２２とを有している。基礎部２は、上方に開口しており、その内部に土壌５等を収容可能に構成されている。
【００１７】
前記底部２１は、平面視で概略円形状に形成されている。ただし、底部２１は、円形状に限られるものではなく、楕円形状、長円形状及び多角形状等、任意の形状を採用することができる。底部２１は、塩化ビニル系防水シートで構成されている。尚、底部２１は、ポリオレフィン系防水シート、該防水シートにアルミニウム合金やガルバリウム鋼板等の金属板を貼り合わせたもの、又は該金属板と樹脂と該金属板とのサンドイッチパネルを前記防水シートに貼り合わせたもの等で構成されてもよい。また、底部２１は、ＰＥＴシートとアルミニウムシートとフッ素樹脂系フィルムとを積層させた積層シートであってもよい。さらに、底部２１は、アルミニウム合金やガルバリウム鋼板等の金属板であってもよい。底部１２を金属で又は金属を含んで構成することによって、その形状を維持することが容易となる。
【００１８】
側壁２２は、全体として、底部２１の周縁部に沿って環状に形成されている。側壁２２の、周方向に直行する断面で切断した断面は、概略Ｌ字状をしている。すなわち、側壁２２は、底部２１から垂直に立設する本体部２３と、本体部２３の下端から底部２１の内方に向かって底部２１と平行に延びる取付部２４とを有している。この取付部２４と底部２１の周縁部とが重ね合わせられ、両者がビス等で固定される。こうして、底部２１と側壁２２とが取り付けられている。
【００１９】
この側壁２２の本体部２３には、第１及び第２排水孔２５ａ，２５ｂ（図２では１つずつ図示）が貫通形成されている。第１排水孔２５ａは、土壌５における相対的に低い部分に対応する位置に複数、設けられている。複数の第１排水孔２５ａは、側壁２２の周方向に沿って間隔を空けて設けられている。第２排水孔２５ｂは、後述する貯水空間９０における相対的に高い部分に対応する位置に複数、設けられている。複数の第２排水孔２５ｂは、側壁２２の周方向に沿って間隔を空けて設けられている。
【００２０】
前記断熱材３は、概略円盤状であって、平面視で、基礎部２の底部２１と同様の形状をしている。断熱材３は、基礎部２の底、即ち、底部２１上に配設される。この断熱材３は、地面と土壌５との間の熱のやり取りを抑制するものである。断熱材３は、任意の断熱材を採用することができる。一例としては、断熱材３は、発泡スチレン、発泡ポリスチレン、発泡ウレタン、発泡ポリエチレン、フェノールフォーム及び硬質グラスウール等の比較的硬い断熱材で構成される。この断熱材３が断熱部を構成する。
【００２１】
この断熱材３の上には、防水シート３１が敷かれている。防水シート３１は、断熱材３の上面を完全に被覆している。防水シート３１を設けることによって、土壌５を通過した水が断熱材３の方へ浸入することを防止することができる。防水シート３１は、塩化ビニル系防水シート、ポリオレフィン系防水シート等で構成されている。防水シート３１の周縁部は、側壁２２の内周面に沿って立ち上がり、側壁２２の上端を超えて、側壁２２の外周面まで回り込んでいる。尚、防水シート３１のうち、側壁２２の第１及び第２排水孔２５ａ，２５ｂに相当する位置には、貫通孔が形成されている。
【００２２】
前記仕切部材４は、平板状の本体部４１と、本体部４１から下方に延びる複数の脚部４２，４２，…とを有している。本体部４１は、平面視で、基礎部２の底部２１と同様の形状をしている。脚部４２，４２，…は、全て同じ長さである。仕切部材４は、脚部４２，４２，…を下に向けた状態で防水シート３１上に載置される。この仕切部材４の上には、土壌５が載せられる。つまり、仕切部材４は、土壌５を断熱材３から浮かせた状態で保持して、土壌５と断熱材３との間に空間を形成するためのものである。そのため、仕切部材４は、土壌５を保持できる程度の剛性を有する。例えば、仕切部材４は、プラスチックで構成されている。
【００２３】
また、本体部４１は、水を透過させる一方、土壌４を通過させ難い構造をしている。例えば、本体部４１は、土壌４を通過させない程度の細かい網目を有するメッシュ状に形成されている。また、本体部４１は、粗い目を有するメッシュ状に形成された平板状の部材の上に不織布を重ねた構成となっていてもよい。
【００２４】
こうして、仕切部材４によって形成された土壌５と断熱材３との間に空間は、土壌５を通過した水を溜めておく貯水空間９０である。この貯水空間９０が保水部を構成する。貯水空間９０の側方を区画する側壁２２には、前述の如く、貯水空間９０の相対的に上部に対応する位置に第２貫通孔２５ｂが形成されている。そのため、貯水空間９０の水位が第２貫通孔２５ｂに達すると、貯水空間９０の水は第２貫通孔２５ｂを介して外部に排水される。
【００２５】
前記土壌５は、仕切部材４の上に載置されている。土壌５は、緑化地盤ユニット１に植栽する植物８に適切な配合がなされている。土壌５は、緑化地盤ユニット１の周縁部から中央に向かって、徐々に高くなるように盛り土状になっている。土壌５の周縁部の高さは、基礎部２の側壁２２と略同じ高さである。土壌５の中央部は、基礎部２の側壁２２よりも高くなっている。すなわち、土壌５の深さ（土壌５の表面から仕切部材４までの距離）は、中央部が最も深く、周縁部が最も浅くなっている。
【００２６】
ここで、土壌５の下部まで浸透した水は、基本的には、仕切部材４を通過して、貯水空間９０へ流入する。ただし、土壌５の周囲を覆う側壁２２には、前述の如く、土壌５の相対的に下部に対応する位置に第１貫通孔２５ａが形成されている。そのため、土壌５の下部まで浸透した水の一部は、第１貫通孔２５ａを介して外部へ排水される。
【００２７】
前記グランドカバー材６は、土壌５の飛散を防止するためのものである。また、グランドカバー材６は、土壌５の乾燥防止、土壌５の温度維持等の機能も果たす。グランドカバー材６は、例えば、樹木の皮、枯れ草、枯れ葉、藁、ウッドチップ等の植物を原料とした小片又は細片で構成されている。さらに具体的な例としては、グランドカバー材６は、杉皮の細片（杉皮の廃材）で構成されている。グランドカバー材６を植物の細片で構成することによって、グランドカバー材６が互いに絡まり合い、飛散し難くなる。また、グランドカバー材６は、樹脂等で構成されたチップ等の小片又は細片を採用してもよい。その場合、生分解性を有する樹脂を用いることが好ましい。尚、グランドカバー材６は、植物８が生育して、植物８が土壌５の表面を覆った状態となった後は無くてもよい。すなわち、グランドカバー材６は、植物８が土壌５の表面を覆うようになるまで生育するまでの間は少なくとも存在するものであることが好ましい。ただし、グランドカバー材６は、植物８が土壌５の表面を覆うまで生育した後も存在するものであってもよい。
【００２８】
前記ネット７は、グランドカバー材６の飛散を防止するためのものである。ネット７は、グランドカバー材６の全面を覆っている。ネット７の目は、土壌５に植栽される植物８の生育を妨げない程度の粗さとなっている。ネット７の目の粗さは、ネット７全体で均一である必要はなく、その場所に植えられる植物８の種類に応じた適切な粗さであることが好ましい。また、ネット７は、場合によっては、植物８の生育を妨げないように、植物８の種類に応じて切り込みが入れられていてもよい。ネット７の周縁部は、側壁２２の外周面に達し、側壁２２の下端部にネジ等で固定されている。ここで、側壁２２の外周面には、繊維体２６が設けられており、ネット７の周縁部は、繊維体２６を抱え込んだ状態で、側壁２２に固定されている。
【００２９】
繊維体２６は、第１及び第２排水孔２５ａ，２５ｂに被さるように設けられている。そのため、第１及び第２排水孔２５ａ，２５ｂから排水される水は、繊維体２６に吸収される。繊維体２６で吸収しきれない水、又は、繊維体２６から染み出る水が、最終的に、緑化地盤ユニット１から排水されることになる。このとき、繊維体２６は、フィルタとしても機能し、排水の中に含まれる土砂やゴミを捕集する。繊維体２６は、例えば、シュロ皮や蔓等の植物の繊維で構成される。また、繊維体２６は、装飾的機能も有する。すなわち、繊維体２６の存在により、側壁２２の外周面が外方に露出しない。繊維体２６の方が、側壁２２に比べて、より自然に近い印象を与えることができる。さらに、繊維体２６は、側壁２２を乗り越えて外方へ溢れる土砂を捕集することもできる。これにより、土壌５の拡散を防止することができる。土壌５の拡散を防止する観点からは、繊維体２６は、側壁２２の上端まで、又は、上端を超えて設けられていることが好ましい。尚、繊維体２６は、ネット７により保持される構成ではなく、紐等により側壁２２に取り付けられる構成であってもよい。
【００３０】
前記植物８は、土壌５の略全面に植栽されている。前述の如く、土壌５は深さが様々であるので、根の拡がりに応じて、適切な深さの場所に適切な植物８を植栽することが好ましい。例えば、最も高くなった、即ち、最も深くなった土壌５の中央部には、背が比較的高い中・高木を植栽することができる。土壌５の中腹部には、背が比較的低い低木や、背が比較的高い草花を植栽することができる。土壌５の山裾部には、背が比較的低い草花を植栽することができる。尚、土壌５の山裾部には、匍匐性のある植物を植栽することが好ましい。匍匐性のある植物であれば、基礎部２の側壁２２及び繊維体２６を超えて、地面まで拡がっていく。これにより、側壁２２が完全に植物によって被覆され、より自然な緑地とすることができる。
【００３１】
前記灌水システム９は、前記貯水空間９０と、貯水空間９０の水を土壌５に散布するスプリンクラ９１と、貯水空間９０の水に空気を供給するエアポンプ９２と、スプリンクラ９１及びエアポンプ９２に給電するための太陽電池システム９３とを有している。
【００３２】
スプリンクラ９１は、ポンプによって貯水空間９０の水を土壌５の上方まで吸い上げ、土壌５の上方から散水を行う。図１では、スプリンクラ９１は１個であるが、複数のスプリンクラ９１を設けてもよい。スプリンクラ９１は、定期的に自動で作動するように制御されている。ただし、スプリンクラ９１は、手動で作動するように構成されていてもよい。
【００３３】
エアポンプ９２は、貯水空間９０の水に空気、特に酸素を供給するためのものである。エアポンプ９２の本体部は、土壌５の表面に載置されている。エアポンプ９２の本体部から伸びるエアチューブの先端は、貯水空間９０内の水に浸漬されている。尚、エアポンプ９２の本体部は、植物８で被覆されていることが好ましい。
【００３４】
太陽電池システム９３は、太陽電池ユニット９３ａと、バッテリ９３ｂとを有している。太陽電池ユニット９３ａは、植物８から露出するように設けられている。バッテリ９３ｂは、土壌５の表面に載置されている。バッテリ９３ｂ、植物８で被覆されていることが好ましい。太陽電池ユニット９３ａにより発電された電力は、バッテリ９３ｂに蓄電される。バッテリ９３ｂからは、スプリンクラ９１のポンプ及びエアポンプ９２の本体部へ配線が延びている。すなわち、バッテリ９３ｂから配線を介して、スプリンクラ９１及びエアポンプ９２へ給電される。
【００３５】
つまり、土壌５を通過して貯水空間９０に貯まった水は、スプリンクラ９１によって土壌５に定期的に散水される。散水された水のうち、土壌５を通過した水は、貯水空間９０に再び貯留され、スプリンクラ９１によって散水される。貯水空間９０に貯まった水には、空気が送り込まれているため、水中の微生物有機物の分解が促進される。
【００３６】
このように構成された緑化地盤ユニット１によれば、緑化したい場所に緑化地盤ユニット１を載置するだけで、簡単に緑化を実現することができる。例えば、駅前、商業施設及び道路等の舗装面であっても、緑化地盤ユニット１を載置することによって、該舗装面を掘削することなく、簡単に緑化を実現することができる。また、土壌が露出した非舗装面であっても、緑化地盤ユニット１を載置することによって、植物を非舗装面に直接、植栽したり、育てたりすることなく、簡単に緑化を実現することができる。
【００３７】
また、前記緑化地盤ユニット１であれば、緑地を自由に移動させることができる。即ち、舗装面を掘削して露出させた土壌に植物を直植えした場合や、非舗装面に植物を直植えした場合には、植物を自由に移動させることはできない。それに対して、緑化地盤ユニット１は、基礎部２の上に緑地が形成されているため、基礎部２を移動させることができる限りにおいては、緑化地盤ユニット１を自由に移動させることができる。そのため、緑化地盤ユニット１を一旦設置した後であっても、緑化地盤ユニット１を移動させることで、緑地の位置を変更させることができる。さらには、季節ごとに緑化地盤ユニット１を取り替えることによって、季節に応じた植物８が植えられた緑地を設置することができる。尚、緑化地盤ユニット１の移動性を向上させるためには、基礎部２の底部２１を防水シートだけではなく、ガルバリウム鋼板等の金属板と組み合わせて構成することが強度の点で好ましい。ここで、防水シートが金属板とを組み合わせる場合には、塩化ビニル系防水シートとガルバリウム鋼板とを用いることが好ましい。この組み合わせてであれば、塩化ビニル系防水シートとガルバリウム鋼板とを熱によって容易に接着させることができる。
【００３８】
尚、緑化地盤ユニット１は、植物８が土壌５の表面を覆う程度に生育した状態となるまでは別の場所で育てた後に、緑化したい場所に運搬して載置してもよいし、緑化したい場所において、植物８を始めから育ててもよい。前者の場合には、前述の如く、基礎部２の底部２１を防水シートだけではなく、ガルバリウム鋼板等の金属板と組み合わせて構成することが好ましい。
【００３９】
さらに、緑化地盤ユニット１を用いることによって、土質（例えば、土砂の粗さやｐＨ値）の制約を受けることなく、植物を選択することができる。例えば、非舗装面に直植えする場合や、舗装面を掘削して露出した土壌に直植えする場合には、その場所の土質によって、植栽できる植物が制約される。それに対して、緑化地盤ユニット１によれば、土壌５を植物８に合わせて適宜調節することによって、土質の制約を無くすことができる。例えば、緑化地盤ユニット１内に、様々な土質の土壌５を存在させてもよい。場合によっては、基礎部２内を土質ごとに仕切るようにしてもよい。
【００４０】
また、前記緑化地盤ユニット１では、土壌５を盛り土状とすることによって、土が盛られた部分においては植物の根が張る容積を確保することができる。そのため、根が張る容積が小さくてもよい植物から、根が張る容積が大きい植物まで、植栽できる植物の選択肢を広げることができる。場合によっては、草花だけでなく、樹木を植栽することができる。
【００４１】
ただし、植物を地表に直植えする場合は、深さは略無限にあるが、緑化地盤ユニット１の場合は、深さを確保することができるとはいっても、限界がある。しかしながら、直植えの場合は、深さに制約がないため、植物の根は下方へ深く延びていく。それに対して、緑化地盤ユニット１は、深さに限界があるため、植物８の根は、下方へ或る程度まで延びると、その後は、横に拡がっていく傾向にある。その結果、植物８を安定させることができ、植物８の傾倒を抑制することができる。
【００４２】
さらに、土壌５を盛り土状とすることによって、自然な景観を実現することができる。すなわち、樹木等のように根が張る容積が大きい植物を植栽する場合、土壌５を平坦なままで深さを単純に深くすることが考えられる。その場合、基礎部２の側壁２２が高くなる。側壁２２が高いと、土壌５の周縁部に匍匐性の植物を植えたとしても、側壁２２の違和感を完全に消し去ることは難しい。その結果、緑地が地面から浮いた状態となり、見る者に不自然感を与えてしまう。それに対して、前記緑化地盤ユニット１によれば、土壌５は中央部から山裾部に向かって徐々に低くなっている。そのため、土壌５の中央部においては根が張る容積を十分に確保できる一方、土壌５の周縁部においては高さを抑えることができる。それにより、側壁２２の高さを低くすることがきる。その結果、土壌５の周縁部の植物８が、地面を自然と覆う状態又は地面に向かって自然と匍匐した状態となるため、緑化地盤ユニット１が載置されたその場所に植物が自然と育っている印象を見る者に与えることができる。
【００４３】
また、土壌５の表面にグランドカバー材６を敷設することによって、土壌５を盛り土状に形成する構成であっても、土壌５の流出及び飛散を防止することができる。また、グランドカバー材６を設けることによって、土壌５の乾燥を防止し、土壌５の温度低下を抑制することもできる。なお、グランドカバー材６として杉皮の細片等の植物の細片を用いることによって、細片同士が互いに絡まり合って、グランドカバー材６が飛散することを防止することができる。
【００４４】
さらに、グランドカバー材６の上からネット７を敷設することによって、土壌５を盛り土状に形成する構成であっても、土壌５及びグランドカバー材６の流出及び飛散を防止することができる。
【００４５】
尚、グランドカバー材６を設けることなく、土壌５の表面にネット７を敷設する構成であってもよい。この構成であっても、土壌５の流出及び飛散を防止することができる。
【００４６】
また、側壁２２の外周面に繊維体２６を設けることによって、側壁２２を超えて、側壁２２の外方へ溢れる土砂を繊維体２６で捕集することができる。
【００４７】
さらに、緑化地盤ユニット１の側壁２２に第１及び第２排水孔２５ａ，２５ｂを設けることによって、土壌５の排水性を向上させて、植物８の根腐れを防止することができる。ここで、第１及び第２排水孔２５ａ，２５ｂに被さるように、側壁２２の外周面に繊維体２６を設けることによって、第１及び第２排水孔２５ａ，２５ｂから水と共に流出する土がゴミを捕集することができる。
【００４８】
さらにまた、灌水システム９を設けることによって、植物８に灌水することができる。特に、土壌５の下に貯水空間９を設けることによって、土壌５を通過した水を再利用することができる。また、緑化地盤ユニット１が屋外に載置される場合には、雨水を貯水空間９０に貯めて有効に利用することができる。
【００４９】
また、断熱材３を設けることによって、地面からの熱が植物８に悪影響を与えることを防止することができる。特に、アスファルト等の舗装面は夏場には非常に高温となるため、緑化地盤ユニット１を舗装面に載置する場合には、舗装面の熱が土壌５に伝わらないようにする必要がある。緑化地盤ユニット１は、基礎部２の底に断熱材３を設けることによって、舗装面の熱が土壌５に伝わり難くなる。さらに、断熱材３は、貯水空間９の下方に位置するため、舗装面の熱は貯水空間９の水にも伝わり難い。こうして、断熱材３を設けることによって、地面の熱を植物８に伝え難くすることができる。
【００５０】
《その他の実施形態》
本発明は、前記実施形態について、以下のような構成としてもよい。
【００５１】
前記緑化地盤ユニット１は、駅前や商業施設等に設置されるものに限られず、ビルの屋上等に設置されるものであってもよい。さらには、砂漠等に設置され、砂漠の緑化を実現するものであってもよい。さらにまた、緑化地盤ユニット１は、園芸を行う農地として用いることもできる。
【００５２】
また、緑化地盤ユニット１は、単独で用いられるものに限られず、複数の緑化地盤ユニット１，１，…を列状に並べて、ベルト状の緑地帯を形成してもよい。その場合には、複数の緑化地盤ユニット１，１，…において、底部２１を共通にしてもよい。つまり、１つの底部２１に複数の側壁２２，２２，…が立設された状態となり、各側壁２２内に土壌５が盛られる。当然ながら、各緑化地盤ユニット１の底部２１は、それぞれ独立に設けてもよい。
【００５３】
本実施形態では、土壌５の中央部が最も高いが、これに限られるものではない。例えば、中央部からずれた部分が最も高くなっていてもよい。また、盛り上がった部分は、１箇所に限らず、複数箇所に設けられていてもよい。さらには、土壌５には、植物８を植栽するだけでなく、貯水空間９の水を利用して小川等を形成してもよい。
【００５４】
さらにまた、植物８の種類は、前記実施形態に限定されるものではない。樹木がなく、草花だけが植栽されていてもよい。逆に、草木がなく、樹木だけが栽培されていてもよい。
【００５５】
また、土壌５の表面は、植物８によって完全に覆われている必要はない。土壌５の一部が露出する構成であってもよい。
【００５６】
また、土壌５の飛散等の可能性が低い場合には、グランドカバー材６及びネット７の少なくとも一方を省略することもできる。特に、例えば、ビニールハウスや工場のように風雨をコントロールされた環境で植物８が育てられ、植物８が土壌５の表面を覆った状態の緑化地盤ユニット１を、所望の場所に運搬して載置する場合には、土壌５の飛散を考慮することがないため、グランドカバー材６及びネット７を省略してもよい。
【００５７】
また、土壌５は、深さ方向において様々な種類の土、砂、石等で構成してもよい。例えば、土壌５の表層には腐葉土を設け、土壌５の中間には土砂を設け、土壌５の下層には、火山灰やバラス等を設けるように構成してもよい。また、土壌５の最下層には、排水性と形状安定性とを向上させるために、火山灰やバラスを樹脂（例えば、リグニン）で固めた層を設けてもよい。
【００５８】
さらに、緑化地盤ユニット１の断熱部は、前記断熱材３に限られない。例えば、基礎部２の底部２１を断面が波状の板金で構成したり、該底部２１を樹脂で構成したりしてもよい。また、緑化地盤ユニット１を例えば、非舗装面のような高温となり難い地面の上に載置する場合には、断熱材３を省略してもよい。
【００５９】
また、緑化地盤ユニット１の排水構造は、前記第１及び第２排水孔２５ａ，２５ｂによるものに限られない。例えば、側壁２２を、水を透過させるが、土砂を通過させない多孔質の材質で形成してもよい。また、側壁２２を、土砂を通過させない程度の細かい網目を有する金網や樹脂製のプレートで構成してもよい。さらには、側壁２２には、排水構造を持たせず、基礎部２の底部２１に排水構造を持たせてもよい。具体的には、底部２１に排水孔を形成したり、底部２１を前記多孔質の材料で形成してもよい。その場合には、断熱材３に、土壌５を浸透してきた水を底部２１まで流通させる流通孔を形成してもよい。あるいは、土壌５を浸透してきた水を、断熱材３の側周面まで回り込ませて、底部２１へ導くようにしてもよい。また、基礎部２１の底部２１から排水する構成の場合は、底部２１を地面から浮かせた構造とすることが好ましい。例えば、底部２１に脚やリブを設けてもよい。
【００６０】
さらに、基礎部２にキャスタやローラを設けてもよい。これにより、緑化地盤ユニット１を容易に移動させることができる。具体的には、底部２１の下面に複数のキャスタ又はローラを取り付ける。ただし、緑化地盤ユニット１の定着性を考慮して、ストッパ付きのキャスタ等のように、キャスタ又はローラによる移動を不能とする機構を設けることが好ましい。
【００６１】
前記灌水システム９は、一例であって、これに限られるものではない。例えば、スプリンクラによる散水ではなく、ホースによる散水であってもよい。すなわち、複数の排水孔を有するホースが、土壌５の表面に敷設又は表層に埋設される。このホースにポンプを介して水が供給され、ホースの排水孔から土壌５へ水が散水される。
【００６２】
また、前記実施形態では、保水部として貯水空間９０を設けているが、保水部は、これに限られるものではない。例えば、保水部は、不織布等の保水性を有する材質で構成してもよい。また、保水された水は、ポンプで汲み上げるものに限られず、保水部と土壌５とが不織布等によって水の供給可能に接続されていてもよい。
【００６３】
尚、灌水システム９は、省略することもできる。図３に、灌水システムを有さない緑化地盤ユニット２０１の断面図を、図４に、地盤緑化ユニット２０１の側壁２２周辺の構造を示す拡大断面図を示す。緑化地盤ユニット２０１は、灌水ユニットを有さない点で前記緑化地盤ユニット１と異なる。つまり、緑化地盤ユニット２０１は、基礎部２と、該基礎部２に収容される断熱材３と、該基礎部２に収容され、該断熱材３の上方に位置する土壌５と、該土壌５の表面に敷かれたグランドカバー材６と、グランドカバー材６の上から敷かれたネット７と、土壌５に植栽された植物８とを備えている。
【００６４】
緑化地盤ユニット２０１では、貯水空間が設けられていないため、側壁２２には、前記第２排水孔２５ｂが設けられていない。尚、排水性を向上させるために、断熱材３又は防湿シート３１は、中央部が最も高く、周縁部に向かってなだらかに傾斜していることが好ましい。こうすることで、土壌５を通過した水が、側壁２２の方へ流れていき、第１排水孔２５ａから外部へ排水され易くなる。
【００６５】
尚、以上の実施形態は、本質的に好ましい例示であって、本発明、その適用物、あるいはその用途の範囲を制限することを意図するものではない。
【産業上の利用可能性】
【００６６】
以上説明したように、本発明は、基礎部と該基礎部に収容された土壌とを備えた緑化地盤ユニットについて有用である。
【符号の説明】
【００６７】
１      緑化地盤ユニット
２      基礎部
２２    側壁
３      断熱材（断熱部）
５      土壌
６      グランドカバー材
７      ネット
８      植物
９０    貯水空間（保水部）
【図１】
2012120462.tif 000003
【図２】
2012120462.tif 000004
【図３】
2012120462.tif 000005
【図４】
2012120462.tif 000006